(57)【要約】【課題】溶断した可溶体部によってハウジングが溶損するおそれがなく、ハウジングへの耐熱性材料の使用を防止して、コストの高騰を防止することができるヒュージブルリンクを提供する。【解決手段】連結プレート部２と、該連結プレート部２の一側に連なった可溶体部３と、該可溶体部３に連結された端子部４とを有し、前記可溶体部３と前記端子部４からなる複数のヒューズエレメント部５が前記連結プレート部２に連結されたヒューズ回路体６と、該ヒューズ回路体６を収容して、前記可溶体部３の周囲を覆うハウジング７とを備えたヒュージブルリンク１において、前記連結プレート部２の端部２ａを延出して溶断片飛散防止部２１を形成し、該溶断片飛散防止部２１が、可溶体部３とハウジング７の下壁部７ｃの間に配置されるようにした。【選択図】図１
2007080709.tif 000002
【特許請求の範囲】
【請求項１】
連結プレート部と、該連結プレート部の一側に連なった可溶体部と、該可溶体部に連結された端子部とを有し、前記可溶体部と前記端子部からなる少なくとも１つのヒューズエレメント部が前記連結プレート部に連結されたヒューズ回路体と、
該ヒューズ回路体を収容して、前記可溶体部の周囲を覆うハウジングと、
を備えたヒュージブルリンクにおいて、
前記連結プレート部の他側を延出して、少なくとも１つの溶断片飛散防止部を形成し、
該溶断片飛散防止部が、前記可溶体部と前記ハウジングの間に配置されたことを特徴とするヒュージブルリンク。
【請求項２】
前記溶断片飛散防止部が、前記ハウジングの外壁部から露出するように構成されていることを特徴とする請求項１記載のヒュージブルリンク。
【発明の詳細な説明】
【技術分野】
【０００１】
本発明は、車載用電装回路等に使用されるヒュージブルリンクに関する。
【背景技術】
【０００２】
自動車の車体には、種々の電装品が搭載されており、バッテリー電源から電装品に供給される電気回路には、過電流から電気回路を保護するためのヒューズとして働くヒュージブルリンクが設けられている（例えば、特許文献１参照）。
【０００３】
前記ヒュージブルリンクは、連結プレート部と、該連結プレート部の一側に連なった可溶体部と、該可溶体部に連結された端子部とを有し、前記可溶体部と前記端子部からなるヒューズエレメント部が前記連結プレート部に連結されたヒューズ回路体と、該ヒューズ回路体が収容されるハウジングとを備えている。
【０００４】
前記ハウジングは、絶縁性の合成樹脂で形成されており、前記ハウジングに収容されたヒューズ回路体の可溶体部が、その周囲をハウジングの周壁で覆われるようになっている。
【０００５】
前記ヒュージブルリンクは、車体に設けられたヒューズボックスに配設されるようになっており、これにより、バッテリー電源から電装品への電気回路中にヒューズが設けられるようになっている。
【０００６】
前記ヒュージブルリンクのハウジングには、ハウジング内部を視認可能な窓部が設けられており、前記窓部よりヒューズ回路体の可溶体部の溶断状態を確認できるようになっている。そして、前記可溶体部が電気回路を流れる過電流により溶断した場合には、再び通電可能にするために前記ヒュージブルリンク自体を交換するようになっている。
【０００７】
前記ヒュージブルリンクは、前記可溶体部溶断時の交換が容易であるので、大電流用ヒューズとして、自動車をはじめ様々な分野に使用されている。
【特許文献１】特開平９−１１５４２１号公報
【発明の開示】
【発明が解決しようとする課題】
【０００８】
しかし、前記したヒュージブルリンクでは、ヒューズ回路体の可溶体部が、その周囲をハウジングの周壁で覆われるようになっているので、過電流が流れて前記可溶体部が溶断した場合には、溶断片が周囲に飛散して、飛散した溶断片がハウジングの周壁に付着するようになる。
【０００９】
前記ハウジングに付着した溶断片は非常に高温なので、ハウジングが溶損するおそれがあり、そのために、ハウジングを耐熱性に優れた材料で形成する必要があり、耐熱性に優れた材料からなるハウジングを使用すると、コストが高騰するという問題があった。
【００１０】
したがって、本発明の目的は、溶断した可溶体部によってハウジングが溶損するおそれがなく、ハウジングへの耐熱性材料の使用を防止して、コストの高騰を防止することができるヒュージブルリンクを提供することを目的とする。
【課題を解決するための手段】
【００１１】
上記目的を達成するために、請求項１に記載のヒュージブルリンクは、連結プレート部と、該連結プレート部の一側に連なった可溶体部と、該可溶体部に連結された端子部とを有し、前記可溶体部と前記端子部からなる少なくとも１つのヒューズエレメント部が前記連結プレート部に連結されたヒューズ回路体と、該ヒューズ回路体を収容して、前記可溶体部の周囲を覆うハウジングと、を備えたヒュージブルリンクにおいて、前記連結プレート部の他側を延出して、少なくとも１つの溶断片飛散防止部を形成し、該溶断片飛散防止部が、前記可溶体部と前記ハウジングの間に配置されたことを特徴としている。
【００１２】
請求項２に記載のヒュージブルリンクは、請求項１記載のヒュージブルリンクにおいて、前記溶断片飛散防止部が、前記ハウジングの外壁部から露出するように構成されていることを特徴としている。
【発明の効果】
【００１３】
請求項１に記載のヒュージブルリンクは、連結プレート部と、該連結プレート部の一側に連なった可溶体部と、該可溶体部に連結された端子部とを有し、前記可溶体部と前記端子部からなる少なくとも１つのヒューズエレメント部が前記連結プレート部に連結されたヒューズ回路体と、該ヒューズ回路体を収容して、前記可溶体部の周囲を覆うハウジングと、を備えたヒュージブルリンクにおいて、前記連結プレート部の他側を延出して、少なくとも１つの溶断片飛散防止部を形成し、該溶断片飛散防止部が、前記可溶体部と前記ハウジングの間に配置されたので、可溶体部の溶断片が溶断片飛散防止部で受け止められてハウジングに付着することがなくなり、そのために、高温の溶断片によってハウジングが溶損するおそれがなくなり、よって、ハウジングを耐熱性に優れた材料で形成する必要がなく、ハウジングへの耐熱性材料の使用を防止して、コストの高騰を防止することができる。
【００１４】
また、前記溶断片飛散防止部が、前記連結プレート部と一体に形成されているので、溶断片飛散防止部としての別部品を設ける必要がなくなり、部品点数の増加を防止してコストの高騰を防止することができる。
【００１５】
また、前記連結プレート部を延出して溶断片飛散防止部を形成しているので、連結プレート部の面積が大きくなり、そのために、連結プレート部の放熱効果を高めることができるとともに、連結プレート部のバスバー容量を拡大させることができ、よって、連結プレート部の温度上昇を低減させることができる。
【００１６】
請求項２に記載のヒュージブルリンクは、前記溶断片飛散防止部が、前記ハウジングの外壁部から露出するように構成されているので、溶断片飛散防止部が溶断片を受け止めるだけでなく、連結プレート部での発熱を溶断片飛散防止部からハウジングの外部に直接放熱させることができ、そのために、連結プレート部の放熱効果をより高めて、連結プレート部の温度上昇を低減させることができる。
【発明を実施するための最良の形態】
【００１７】
本発明の第１の実施形態に係るヒュージブルリンクを、図１乃至図３に基いて説明する。
【００１８】
本発明のヒュージブルリンク１は、連結プレート部２と、該連結プレート部２の一側に連なった可溶体部３と、該可溶体部３に連結された端子部４とを有している。
【００１９】
前記可溶体部３に連結された端子部４は、可溶体部３と端子部４を１組として、１つのヒューズエレメント部５を構成している。前記ヒューズエレメント部５は、前記連結プレート部２に連結されてヒューズ回路体６を構成するようになっており、本実施形態の場合、図３に示すように、６つのヒューズエレメント部５が連結プレート部２の長手方向に連鎖状に連結されて１つのヒューズ回路体６を構成している。
【００２０】
そして、前記ヒューズ回路体６が、ハウジング７の内部に収容されるようになっている。
【００２１】
前記連結プレート部２は、前記ヒューズ回路体６の共通端子部として構成されており、前記連結プレート部２は、アース側のバスバープレートとして構成されている。
【００２２】
前記ヒューズ回路体６の各可溶体部３は、細幅でクランク状に形成されており、クランク形状の中途部には、低融点金属３ａが加締められて固定されている。そして、前記可溶体部３に、所定値以上の電流が流れると、その時の発熱で前記低融点金属３ａを加締めた可溶体部３が溶断するようになっている。
【００２３】
前記各可溶体部３には、前記したように、各端子部４が連結されており、該各端子部４のうち端子部４１はビス止め用端子部、端子部４２は差し込み係止用端子部として構成されている。前記ビス止め用端子部４１には、図示しない固定ボルトが挿通するボルト孔４１ａが形成されており、前記差し込み係止用端子部４２には、前記ハウジング７と係合する係止片４２ａが形成されている。そして、前記各端子部４と前記共通端子部としての連結プレート部２の間には、前記可溶体部３を介してヒューズ回路が構成されるようになっている。
【００２４】
前記ヒューズ回路体６は、図示しない導電性の平板状のプレート材をプレス加工することにより一体に形成されており、前記連結プレート部２、可溶体部３及び端子部４が１枚のプレート材から一体に形成されるようになっている。
【００２５】
図１及び図２に示すように、前記ハウジング７は、絶縁性の合成樹脂により略直方体状に形成されており、ハウジング７の上面から一方の側面にかけてハウジング７の長手方向に向けて、前記ヒューズ回路体６が挿入される開口部７ａが形成されている。
【００２６】
前記開口部７ａには、透明カバー８が装着されるようになっており、該透明カバー８により、前記開口部７ａが塞がれるとともに、ハウジング７の内部に収容されたヒューズ回路体６の可溶体部３の状態をハウジング７の外部から目視できるようになっている。
【００２７】
前記ハウジング７内には、前記開口部７ａに連続した回路体収容室９が形成されており、該回路体収容室９の側方には、回路体収容室９に連続して端子支持部１０及びコネクタハウジング部１１が形成されている。前記端子支持部１０及びコネクタハウジング部１１は、図２に示すように、前記ハウジング７の他方の側面にハウジング７の長手方向に並んで形成されている。
【００２８】
前記ハウジング７には、図１に示すように、前記開口部７ａよりハウジング７の短手方向に向けて、前記ヒューズ回路体６が前記端子部４を挿入先端として挿入されるようになっている。前記挿入されたヒューズ回路体６は、前記回路体収容室９に収容されるようになっており、ヒューズ回路体６の挿入先端である端子部４は、回路体収容室９を通ってハウジング７の端子支持部１０及びコネクタハウジング部１１内に位置するようになっている。
【００２９】
前記ハウジング７の端子支持部１０に配設されたヒューズ回路体６の端子部４（ビス止め用端子部４１）には、図示しない丸形の端子金具が固着されたケーブルが接続されるようになっており、図示しない固定ボルトが丸形の端子金具及びビス止め用端子部４１を挿通してハウジング７の端子支持部１０に固着されることにより、前記ケーブルがヒューズ回路体６に接続されるようになっている。
【００３０】
また、前記ハウジング７のコネクタハウジング部１１に配設されたヒューズ回路体６の端子部４（差し込み係止用端子部４２）には、図示しないコネクタが連結されるようになっており、これにより、前記コネクタがヒューズ回路体６に接続されるようになっている。
【００３１】
前記ケーブル及びコネクタには、図示しない各種電装品が接続されており、前記ケーブル及びコネクタのヒューズ回路体６への接続により、前記ヒュージブルリンク１には、複数の電装品が接続されている。
【００３２】
前記した構成のヒュージブルリンク１は、図１に示すように、ハウジング７の短手方向が水平方向を向くように車体に載置されるいわゆる横置き型ヒュージブルリンクとして構成されている。
【００３３】
このため、前記ハウジング７に収容されたヒューズ回路体６は、ハウジング７の短手方向に沿って水平に配置されるようになっており、図１に示すように、ヒューズ回路体６の可溶体部３は、その上方、下方及び側方を、ハウジング７の上壁部７ｂ、下壁部７ｃ及び側壁部（図示せず）で覆われるようになっている。
【００３４】
前記した構成のヒュージブルリンク１において、前記ハウジング７の内部に収容されたヒューズ回路体６の連結プレート部２は、連結プレート部２の他側である前記ヒューズエレメント部５が連結されていない側の端部２ａが連結プレート部２の短手方向に向けて延出形成されている。該延出形成された連結プレート部２の端部２ａは、図１及び図３に示すように、Ｕ字状に曲げられており、該Ｕ字状に曲げられた延出先端部２ｂが、前記ヒューズ回路体６の可溶体部３の下方に位置するようになっている。
【００３５】
そのために、前記連結プレート部２の延出先端部２ｂが、前記可溶体部３と前記ハウジング７の下壁部７ｃの間に配置されるようになっており、前記連結プレート部２の延出先端部２ｂは、前記可溶体部３の溶断片の飛散を防止する溶断片飛散防止部２１として構成されている。
【００３６】
前記連結プレート部２の溶断片飛散防止部２１は、連結プレート部２の一部として連結プレート部２と一体に形成されている。従って、前記したように導電性の平板状のプレート材をプレス加工して、連結プレート部２、可溶体部３及び端子部４からなるヒューズ回路体６を一体に形成する際に、前記溶断片飛散防止部２１も一体に形成される。また、前記連結プレート部２がＵ字状に曲げられて、図３に示すような溶断片飛散防止部２１を有するヒューズ回路体６が得られる。
【００３７】
そして、前記溶断片飛散防止部２１を有するヒューズ回路体６が、ハウジング７の内部の回路体収容室９に収容されるようになっており、これにより、前記溶断片飛散防止部２１が前記可溶体部３と前記ハウジング７の下壁部７ｃの間に配置されるようになっている。
【００３８】
前記ヒュージブルリンク１においては、バッテリー電源から電装品への電気回路に過電流が流れてヒューズ回路体６の可溶体部３が溶断すると、可溶体部３の溶断片が周囲に飛散するようになるが、前記したようにヒュージブルリンク１は横置き型ヒュージブルリンクとして車体に搭載されているので、ヒューズ回路体６がハウジング７の内部に水平に収容されるようになり、前記溶断片の多くは鉛直方向下方に落下する。
【００３９】
このとき、前記したように可溶体部３の下方には、溶断片飛散防止部２１が配置されているので、該溶断片飛散防止部２１が落下する溶断片を受け止めるようになる。そのために、溶断片がハウジング７の下壁部７ｃに直接落下してハウジング７に付着することがなく、高温の溶断片によってハウジング７の下壁部７ｃが溶損するおそれがなくなり、よって、ハウジング７を耐熱性に優れた材料で形成する必要がなく、ハウジング７への耐熱性材料の使用を防止して、コストの高騰を防止することができる。
【００４０】
前記ハウジング７の材料としては、耐熱性の点ではやや劣るが、加工性に優れて安価な汎用樹脂である熱可塑性樹脂を使用することができる。
【００４１】
また、前記溶断片飛散防止部２１を前記ヒューズ回路体６の連結プレート部２と一体に形成しているので、溶断片飛散防止部２１としての別部品を設ける必要がなくなり、部品点数の増加を防止してコストの高騰を防止することができる。
【００４２】
また、前記溶断片飛散防止部２１として、ヒューズ回路体６の連結プレート部２の端部２ａを延出形成しているので、延出形成したぶんだけ連結プレート部２の面積が大きくなる。そのために、連結プレート部２の放熱効果を高めることができるとともに、連結プレート部２のバスバー容量を拡大させることができ、よって、連結プレート部２の温度上昇を低減させることができる。
【００４３】
本実施形態によれば、連結プレート部２の端部２ａを延出して溶断片飛散防止部２１を形成し、該溶断片飛散防止部２１が、可溶体部３とハウジング７の下壁部７ｃの間に配置されたので、可溶体部３の溶断片が溶断片飛散防止部２１で受け止められてハウジング７に付着することがなくなり、そのために、高温の溶断片によってハウジング７の下壁部７ｃが溶損するおそれがなくなり、よって、ハウジング７を耐熱性に優れた材料で形成する必要がなく、ハウジングへの耐熱性材料の使用を防止して、コストの高騰を防止することができる。
【００４４】
また、前記溶断片飛散防止部２１を前記連結プレート部２と一体に形成しているので、溶断片飛散防止部２１としての別部品を設ける必要がなくなり、部品点数の増加を防止してコストの高騰を防止することができる。
【００４５】
さらに、前記連結プレート部２を延出して溶断片飛散防止部２１を形成しているので、連結プレート部２の面積が大きくなり、そのために、連結プレート部２の放熱効果を高めることができるとともに、連結プレート部２のバスバー容量を拡大させることができ、よって、連結プレート部２の温度上昇を低減させることができる。
【００４６】
なお、前記した実施形態では、連結プレート部２を延出形成した溶断片飛散防止部２１が可溶体部３の下方に位置しているが、図４に示すように、連結プレート部２の溶断片飛散防止部２１を可溶体部３の下方に設けるとともに、別部品としての溶断片飛散防止部２１ａを可溶体部３の上方に設けても良い。
【００４７】
このようにすれば、可溶体部３の上方に飛散する溶断片がハウジング７の上壁に付着することを防ぐことができ、溶断片によるハウジング７の溶損を防ぐうえで効果的である。
【００４８】
なお、この場合、可溶体部３の上方に設ける溶断片飛散防止部２１ａには、可溶体部３の状態を外部から目視できるように、スリット等を設けるのが好ましい。
【００４９】
さらに、可溶体部３の側方にも図示しない溶断片飛散防止部を設ければ、ハウジング７の溶損防止の点でより効果的である。
【００５０】
図５は、本発明の他の実施形態を示したもので、前記実施形態と同一箇所には同一符号を付して説明を省略する。
【００５１】
本実施形態の場合、ヒューズ回路体６を収容するハウジング７の下壁部７ｃには、窓部７ｄが形成されている。そして、前記連結プレート部２の溶断片飛散防止部２１が、可溶体部３の下方に配置されるとともに、前記ハウジング７の下壁部７ｃの窓部７ｄ内に配置されるようになっている。このため、前記溶断片飛散防止部２１は、ハウジング７の下壁部７ｃの窓部７ｄから露出するようになっている。
【００５２】
本実施形態によれば、前記連結プレート部２の溶断片飛散防止部２１が、前記ハウジング７の下壁部７ｃの窓部７ｄから露出するように構成されているので、前記溶断片飛散防止部２１が落下する溶断片を受け止めるだけでなく、連結プレート部２での発熱を溶断片飛散防止部２１からハウジング７の外部に直接放熱させることができ、そのために、連結プレート部２の放熱効果をより高めて、連結プレート部２の温度上昇を低減させることができる。
【００５３】
なお、前記した実施形態は本発明の代表的な形態を示したに過ぎず、本発明は前記実施形態に限定されるものではなく、本発明の骨子を逸脱しない範囲で種々変更することができる。
【００５４】
すなわち、前記実施形態では、ヒュージブルリンク１のハウジング７の短手方向が水平方向を向くように車体に搭載される横置き型ヒュージブルリンクを例に説明したが、ヒュージブルリンク１のハウジング７の短手方向が鉛直方向を向くように車体に搭載される縦置き型ヒュージブルリンクでも良い。
【００５５】
これは、可溶体部３が溶断したときに飛散する溶断片を受け止める溶断片飛散防止部２１が、ヒューズ回路体６の可溶体部３とハウジング７の壁部の間に配置されていれば、横置き型、縦置き型を問わずに、溶断片によるハウジング７の溶損を防止することができるからである。
【００５６】
また、前記実施形態では、連結プレート部２に複数のヒューズエレメント部５が連鎖状に連結されたヒュージブルリンク１について説明したが、連結プレート部２に１つのヒューズエレメント部５しか連結されていないヒュージブルリンク１でも良い。
【００５７】
この場合は、１つのヒュージブルリンク１が１つの電装品に対応することになるが、この場合でも、可溶体部３の溶断片によるハウジング７の溶損防止のために、連結プレート部２を延出形成した溶断片飛散防止部２１が可溶体部３とハウジング７の壁部の間に配置されることが効果的だからである。
【図面の簡単な説明】
【００５８】
【図１】本発明の実施形態に係るヒュージブルリンクを示す側断面図である。
【図２】前記実施形態に係るヒュージブルリンクを示す斜視図である。
【図３】前記実施形態に係るヒュージブルリンクのヒューズ回路体を示す斜視図である。
【図４】前記実施形態に係るヒュージブルリンクのヒューズ回路体の変形例を示す側面図である。
【図５】本発明の他の実施形態に係るヒュージブルリンクを示す側断面図である。
【符号の説明】
【００５９】
１  ヒュージブルリンク
２  連結プレート部
２ａ  端部
２ｂ  延出先端部
２１  溶断片飛散防止部
２１ａ  溶断片飛散防止部
３  可溶体部
３ａ  低融点金属
４  端子部
４１  ビス止め用端子部
４２  差し込み係止用端子部
５  ヒューズエレメント部
６  ヒューズ回路体
７  ハウジング
７ａ  開口部
７ｂ  上壁部
７ｃ  下壁部
７ｄ  窓部
８  透明カバー
９  回路体収容室
１０  端子支持部
１１  コネクタハウジング部
【図１】
2007080709.tif 000003
【図２】
2007080709.tif 000004
【図３】
2007080709.tif 000005
【図４】
2007080709.tif 000006
【図５】
2007080709.tif 000007